(57)【特許請求の範囲】
【請求項１】
システムであって：
各々が自由空間光通信用に構成される複数のネットワークノードを含むネットワークを有しており；
各ネットワークノードは：
光ビームが光リンクを通じて送受信されるときに通過する１つ又は複数の開口部であって、前記光リンクは、（ｉ）ノード同士の間で高レートのトラフィックを転送するトラフィックリンクと、（ｉｉ）他のノードの位置に関する情報を確立し且つ維持するために使用される低レート信号を転送する捕捉／追跡リンクとを含む、開口部と；
前記ネットワークを通じて１つ又は複数のバックアップ経路を決定するように構成されたネットワークプロセッサと；
バックアップ用トラフィックリンクを形成するために、前記トラフィックリンクから前記捕捉／追跡リンクに光ビームをリダイレクトするように構成されたビーム操作ユニットと；を備える、
システム。
【請求項２】
各ネットワークノードは、前記トラフィックリンク及び前記捕捉／追跡リンク通じて異なる遠隔ネットワークノードとの間で光ビームを送受信するように構成される、
請求項１に記載のシステム。
【請求項３】
各ネットワークノードは、多数の捕捉／追跡リンク及び少数のトラフィックリンクを通じて通信するように構成される、
請求項１に記載のシステム。
【請求項４】
各ネットワークノードは、トリガイベントに応答して、前記ネットワークノードのトラフィックリンク及び捕捉／追跡リンクのうちの少なくとも一方にリダイレクトするように構成される、
請求項１に記載のシステム。
【請求項５】
前記トリガイベントは、前記ネットワークノードのトラフィックリンクの遮断又は中断を含む、
請求項４に記載のシステム。
【請求項６】
前記ネットワークノードのいずれかでの前記トリガイベントは、ネットワークノードにおけるネットワークプロセッサが、前記ネットワーク内の既存のトラフィックリンク及び既存の捕捉／追跡リンクを使用して適切なバックアップ経路を特定できないことを含む、
請求項４に記載のシステム。
【請求項７】
各ネットワークノードにおける前記ビーム操作ユニットは、前記ネットワークノードのトラフィックリンクから前記ネットワークノードの捕捉／追跡リンクへ約５０ミリ秒以内で光ビームをリダイレクトするように構成される、
請求項１に記載のシステム。
【請求項８】
各ネットワークノードにおける前記ネットワークプロセッサは、前記ネットワークノードのうちの複数のノードの間での連携及び情報交換を含む分散プロセスを使用して、前記ネットワークノードのための１つ又は複数のバックアップ経路を決定するように構成される、
請求項１に記載のシステム。
【請求項９】
各ネットワークノードにおける前記ネットワークプロセッサは、前記ネットワークノードのためのトラフィックリンク及び捕捉／追跡リンクの設定を選択するように構成される、
請求項１に記載のシステム。
【請求項１０】
前記捕捉／追跡リンクは、ネットワークノード同士の間の制御及び状態情報を搬送するように構成される、
請求項１に記載のシステム。
【請求項１１】
各ネットワークノードの前記１つ又は複数の開口部は、前記ネットワークノードのトラフィックリンクのための光ビームが通過する通信開口部を含む、
請求項１に記載のシステム。
【請求項１２】
各ネットワークノードの前記１つ又は複数の開口部は、前記ネットワークノードの捕捉／追跡リンクのための光ビームが通過する少なくとも１つの捕捉／追跡用開口部をさらに含む、
請求項１１に記載のシステム。
【請求項１３】
各ネットワークノードの前記１つ又は複数の開口部は、前記ネットワークノードのトラフィックリンク及び前記ネットワークノードの捕捉／追跡リンクのための光ビームが通過する通信開口部を含む、
請求項１に記載のシステム。
【請求項１４】
各ネットワークノードは：
非光学的な電磁波を用いて他のネットワークノードと通信するように構成された電磁通信システム；をさらに有しており、
各ネットワークノードの前記電磁通信システムは、光リンクに関連する情報及び他のネットワークノードとの位置及び状態情報を送受信するように構成される、
請求項１に記載のシステム。
【請求項１５】
各ネットワークノードにおける前記電磁通信システムは、前記ネットワークノードと光通信していない他のネットワークノードと通信するように構成される、
請求項１４に記載のシステム。
【請求項１６】
ネットワークノードとの自由空間光通信を行うように構成された光通信端末であって、光ビームが光リンクを通じて送受信されるときに通過する１つ又は複数の開口部を含み、前記光リンクは、（ｉ）高レートのトラフィックを転送するトラフィックリンクと、（ｉｉ）前記ネットワークノードの位置に関する情報を確立し且つ維持するために使用される低レート信号を転送する捕捉／追跡リンクとを含む、光通信端末と；
ネットワークを通じて１つ又は複数のバックアップ経路を決定するように構成されたネットワークプロセッサと；
バックアップ用トラフィックリンクを形成するために、前記トラフィックリンクから前記捕捉／追跡リンクへ光ビームにリダイレクトするように構成されたビーム操作ユニットと；と備える、
装置。
【請求項１７】
前記装置は、トリガイベントに応答して、前記トラフィックリンク及び前記捕捉／追跡リンクのうちの少なくとも一方にリダイレクトするように構成される、
請求項１６に記載の装置。
【請求項１８】
前記ビーム操作ユニットは、前記トラフィックリンクから前記捕捉／追跡リンクへ約５０ミリ秒以内で光ビームをリダイレクトするように構成される、
請求項１６に記載の装置。
【請求項１９】
前記１つ又は複数の開口部は、トラフィックリンクのための光ビームが通過する通信開口部を含む、
請求項１６に記載の装置。
【請求項２０】
前記１つ又は複数の開口部は、前記捕捉／追跡リンクのための光ビームが通過する少なくとも１つの捕捉／追跡開口部を含む、
請求項１６に記載の装置。
【請求項２１】
非光学的な電磁波を用いて前記ネットワークノードと通信するように構成された電磁通信システムをさらに有しており、
該電磁通信システムは、前記装置と光通信していないネットワークノードと通信するように構成される、
請求項１６に記載の装置。
【請求項２２】
第１のネットワークノードにおいて第２のネットワークノードと光学的に通信するとともに、光トラフィックリンクを通じて第１の光ビームを送受信することにより前記第２のネットワークノードとデータを交換するステップと；
光捕捉／追跡リンクを通じて第２の光ビームを送受信することによって、前記第１のネットワークノードにおいて第３のネットワークノードを光学的に追跡するステップと；
ネットワークを通じて１つ又は複数のバックアップ経路を決定するステップと；
決定された１つ又は複数のバックアップ経路のうち少なくとも何れかにおけるバックアップ用トラフィックリンクを形成するために、前記トラフィックリンクから前記光捕捉／追跡リンクに第１の光ビームをリダイレクトするステップと；を含む、
方法。
【発明の詳細な説明】
【技術分野】
【０００１】
本開示は、概して、光通信システムを対象としている。より具体的には、本開示は、アジャイル(agile)ビームベースの保護スイッチングを用いる自由空間光ネットワークに関する。
【背景技術】
【０００２】
自由空間光（ＦＳＯ）システムは、光ビームを光学的に用いて互いに通信するようなネットワークノードを含む。ＦＳＯシステムは、無線周波数（ＲＦ）通信システムよりもはるかに高いデータレートを提供することができる。ＦＳＯシステムは、大抵の場合、ＲＦシステムに関連するスペクトル利用制限を受けない。また、ＦＳＯシステムは、典型的には、ＲＦシステムよりも低い検出確率及び高いジャム(jam)耐性を提供する。しかしながら、大気中で使用する場合に、ＦＳＯシステムは、雲や、霧、及び他の障害物による妨害を受け易く、ＦＳＯシステムは、乱気流によって澄んだ大気中であっても深刻なフェージングに悩まされる。
【０００３】
これらの問題に対する従来の解決策は、光リンクレベル、ハイブリッドＲＦ／光リンク、及びネットワークベースの保護アプローチにおける補償(mitigation)手法を含む。リンク補償手法は、典型的には、補償光学、前方誤り訂正、インターリーブ、及び光自動利得制御等の機能を含む。しかしながら、これらの補償手法を用いても、ＦＳＯシステムは、大抵の場合、澄んだ空気中であっても許容可能な性能を提供するのが困難なことがある。光通信が失敗した場合に、ハイブリッドＲＦ／光学リンクは、ＲＦ通信にフォールバックされるが、ＲＦリンクは、光リンクより大幅に少ない帯域幅及びスループットしか有さないので、それによって、システムのスループットが低下する。リンクベースの補償は、大きなバッファに一般的に依存するネットワークベースのアプローチ、光リンクが回復したときの再送信、及び機械的なビーム操作を使用する新しい光リンクの確立によって増強される。
【発明の概要】
【発明が解決しようとする課題】
【０００４】
残念ながら、これらの手法によって、典型的には大きなレイテンシーが導入され、大規模なネットワークに対する拡張性が制限される。また、サイズ、重量、及び電力（SWaP）の検討と併せたコストは、ネットワークノードで使用される、特に航空機及び地上車両等の移動プラットフォームで使用される光端末の数を制限する（従って、光リンクの数を制限する）。これは、典型的には、機械的なビーム操作を使用する場合に非実用的なバックアップ経路を維持することを強いている。
【課題を解決するための手段】
【０００５】
本開示は、アジャイルビームベースの保護スイッチングを用いる自由空間光ネットワークを提供する。とりわけ、このアプローチは、上述した問題の１つ、いくつか、又は全てを克服するような、通信に失敗した通信リンクについてネットワークベースの補償手法をサポートすることができる。このアプローチは、上述した問題等のリンクベースの補償手法と組み合わせて使用することもできる。
【０００６】
第１の実施形態では、システムは、複数のネットワークノードを含むネットワークを有しており、各ノードは、自由空間光通信用に構成される。各ネットワークノードは、光ビームが、光リンクを通じて送受信されるときに通過する１つ又は複数の開口部を含む。光リンクは、（ｉ）ノード同士の間で高レートのトラフィックを転送するトラフィックリンクと、（ｉｉ）他のノードの位置に関する情報を確立し且つ維持するために使用される低レート信号を転送する捕捉／追跡リンクとを含む。各ネットワークノードは、ネットワークを通じて１つ又は複数のバックアップ経路を決定するように構成されたネットワークプロセッサも含む。各ネットワークノードは、バックアップ用トラフィックリンクを形成するために、トラフィックリンクから捕捉／追跡リンクに光ビームをリダイレクトするように構成されたビーム操作ユニットをさらに含む。
【０００７】
第２の実施形態では、装置は、ネットワークノードとの自由空間光通信を行うように構成された光通信端末を含む。この光通信端末は、光ビームが、光リンクを通じて送受信されるときに通過する１つ又は複数の開口部を含み、ここで光リンクは、（ｉ）高レートのトラフィックを転送するトラフィックリンクと、（ｉｉ）ネットワークノードの位置に関する情報を確立し且つ維持するために使用される低レート信号を転送する捕捉／追跡リンクとを含む。装置は、ネットワークを通じて１つ又は複数のバックアップ経路を決定するように構成されたネットワークプロセッサも含む。また、装置は、バックアップ用トラフィックリンクを形成するために、トラフィックリンクから捕捉／追跡リンク上に光ビームをリダイレクトするように構成されたビーム操作ユニットを含む。
【０００８】
第３の実施形態では、方法は、第１のネットワークノードにおいて第２のネットワークノードと光学的に通信するとともに、光トラフィックリンクを通じて第１の光ビームを送受信することにより第２のネットワークノードとデータを交換するステップを含む。この方法は、光捕捉／追跡リンクを通じて第２の光ビームを送受信することによって、第１のネットワークノードにおいて第３のネットワークノードを光学的に追跡するステップも含む。この方法は、ネットワークを通じて１つ又は複数のバックアップ経路を決定するステップをさらに含む。さらに、この方法は、バックアップ用トラフィックリンクを形成するために、トラフィックリンクから捕捉／追跡リンクに第１の光ビームをリダイレクトするステップを含む。
他の技術的特徴は、以下の図面、詳細な説明、及び特許請求の範囲から当業者に容易に明らかになるであろう。
【図面の簡単な説明】
【０００９】
【図１】本開示に係る自由空間光（ＦＳＯ）通信ネットワークの例を示す図である。
【図２Ａ】ＦＳＯネットワークでの通信経路の例を示す図である。
【図２Ｂ】本開示に係る関連する無線周波数／マイクロ波ネットワークでの通信経路の例を示す図である。
【図３】本開示に係るＦＳＯネットワークでの保護スイッチングの例を示す図である。
【図４】本開示に係るＦＳＯ及びＲＦ／マイクロ波機能の両方を用いるネットワークノードの例を示す図である。
【図５Ａ】本開示に係るＦＳＯ光学ベンチの例を示す図である。
【図５Ｂ】本開示に係るＦＳＯ光学ベンチの例を示す図である。
【図６】本開示に係る光開口部の配置の例を示す図である。
【図７】本開示に係るＦＳＯネットワークでの保護スイッチングに使用されるバックアップ経路を計算するための方法の例を示す図である。
【図８】本開示に係るＦＳＯネットワークでの保護スイッチングの方法の例を示す図である。
【発明を実施するための形態】
【００１０】
本開示及びその特徴のより完全な理解のために、ここで、添付の図面と併せて、以下の詳細な説明について参照を行う。
以下で説明する図１〜図８、及び本特許文書において本発明の原理を説明するために使用される様々な実施形態は、例示のためだけに存在しており、いかなる場合であっても本発明の範囲を限定するように解釈すべきではない。当業者は、本発明の原理が、適切に構成された装置又はシステムのいかなるタイプであっても実施できることを理解するであろう。
【００１１】
図１には、本開示に係る自由空間光（ＦＳＯ）通信ネットワーク１００の例が示されている。図１に示されるように、ネットワーク１００は、互いに光学的に通信するような様々なノードを含む。この例では、ノードは、衛星１０２−１０４、航空機１０６、陸上車両１０８、及び水上車両１１０を含む。各衛星１０２は、地球の周りの静止軌道上に任意の適切な構造を含む。各衛星１０４は、地球の低空軌道及び地球の中空軌道上に任意の適切な構造を含む。各航空機１０６は、有人航空機や無人航空機（ＵＡＶ）等の一定の期間に亘って空中に留まることが可能な任意の適切な構造を含む。各陸上車両１０８は、戦車、人員輸送車又は装甲車等の地上を移動することが可能な任意の適切な構造を含む。各水上車両１１０は、船舶や潜水艦等の水上又は水中を移動することが可能な任意の適切な構造を含む。
【００１２】
図１に示されるように、様々な通信リンク１１２が、ネットワーク１００のノード同士１０２−１１０の間に存在する。これらの通信リンク１１２は、ノード１０２−１１０が互いに光学的に通信するのを可能にするような光通信リンクを含む。これらの通信リンク１１２は、ノード１０２−１１０が非光学的な電磁波を用いて互いに通信するのを可能にするような無線周波数（ＲＦ）、マイクロ波、又は他の非光学的な電磁通信リンクを含んでもよい。簡潔にするために、全ての非光学的な電磁通信リンクは、ＲＦリンクと呼ぶことにする。通信１１２リンクは、任意の適切なレート（複数可）でデータ転送をサポートすることができる。
【００１３】
本開示によれば、ノード１０２−１１０は、互いにＲＦ通信範囲にいるノードについてＲＦメッシュネットワークと組み合わせた空間的なアジャイル（agile）なＦＳＯビームの使用をサポートする。空間的なアジリティ(agility)とは、ＦＳＯビームを、２つの方向を結ぶ経路を一掃することなく、ある方向から別の方向に迅速に（約０．５秒未満で）再指向させることを意味する。光開口部(aperture)から送信されるビームの挙動に加えて、空間的なアジリティは、光開口部が入射ビームを受け取る方向にも適用される。ノード１０２−１１０内の光端末は、光フェーズドアレイ（OPAｓ）又は他の適切な要素を使用して、それら送信ビーム及び受信ビームの方向を電子的に制御する。これによって、様々な方向にデータを光学的に送受信するために、ノード１０２−１１０がそれら光通信を指向及び再指定させることが可能になる。あるノードとの通信が劣化又は中断した場合に、送信ビーム及び受信ビームの方向を急速に（１秒の何分の１で）変化させて、別のノードとの通信が可能になる。これによって、ノード１０２−１１０がほぼ劣化又は中断した通信リンク１１２のトラフィックを非常に迅速に再ルーティングすることが可能になり、通信デッドタイム(dead  time)及びデータ損失を大幅に削減することができる。いくつかの実施形態では、トラフィックは、約１０ミリ秒又はそれ以下で、単一の障害のある通信リンクの近くに再ルーティングすることができ、その再ルーティングは、機械的な操作を使用して光ビームを再指向するような従来のシステムよりもはるかに高速である。これは、ＦＳＯネットワーク１００に「保護スイッチング」を提供する。保護スイッチングは、第１の通信経路中の障害等のいくつかの条件に応じて、ノードが、第１の通信経路から第２の通信経路に切り替わるようなネットワーク機能を指す。
【００１４】
図１には、ＦＳＯ通信ネットワーク１００の一例が示されているが、様々な変更を図１の実施形態に対して行ってもよい。例えば、ネットワーク１００は、図１に示されている全てのタイプのノード１０２−１１０を含む必要はない。アジャイルビーム操作を使用して保護スイッチングをサポートする光通信は、任意の適切なタイプ（複数可）のノードと共に使用することができる。特定の例として、光通信は、航空機同士の間でのみ、或いは航空機と、地上車両又は水上車両との間で行われる可能性がある。単一のノードタイプ又は複数のノードタイプの組合せは、この機能を使用することができる。
【００１５】
図２Ａには、ＦＳＯネットワークでの通信経路の例が示されており、図２Ｂには、本開示に係る関連するＲＦ／マイクロ波ネットワークでの通信経路の例が示されている。特に、図２Ａ及び図２Ｂには、複数の航空機１０６を含むようなネットワークにおける通信経路の例が示されている。当然ながら、図２Ａ及び図２Ｂに示されるネットワークは、図１に示されるような他の又は追加のタイプ（複数可）のノードを含むことができる。
【００１６】
図２Ａには、複数の航空機（ノード１０６）の間での光トラフィックリンク１１２ａ及び光追跡リンク１１２ｂによって形成された光通信ネットワークの例が示されている。ノード同士間の光通信レートは、１Ｇｂｐｓ，１０Ｇｂｐｓ、又はそれ以上に達する可能性がある。図２Ｂに示されるように、ノード１０６同士の間のＲＦ通信リンク１１２ｃは、同じノード１０６を利用して並列又はオーバーレイネットワークを構成する。オーバーレイネットワークは、低いデータレートで光通信ネットワークに関連する（制御プレーンデータ等の）情報を転送する、光通信リンクが障害を受けた場合に、特定のデータを転送する、又はＲＦネットワーク上でのみ搬送することを意図したデータを転送するために使用することができる。ＲＦネットワークは、ＦＳＯネットワークをサポートすることを特に意図したシステム、又は別個のシステムとしてＲＦ通信を提供するように最初から意図したネットワークとすることができる。
【００１７】
特定の実施形態では、ノード１０２−１１０を伴うトラフィックリンク１１２ａを通じた主光データ通信は、そのノード内の通信開口部を使用して生じるが、可能な代替の光通信リンクは、そのノード内の小さく、より低コストの捕捉／追跡開口部を使用して識別され且つ維持される。これらの捕捉／追跡開口部は、隣接ノードとの光追跡リンク１１２ｂを維持する。捕捉／追跡開口部は、通信開口部によって使用される主光リンクが劣化又は中断した場合に使用される潜在的なバックアップ光リンクの識別をサポートする。主光リンクの劣化又は中断が発生した場合に、電子ビーム操作が、捕捉／追跡開口部を使用して追跡される代替ノードに通信開口部をリダイレクトするために使用され、それによって、バックアップ光リンクを迅速に確立する。捕捉／追跡開口部は、通信開口部よりも複雑でなく、それによって、捕捉／追跡開口部は、通信開口部よりも低コストでより小さいサイズ、重量、及び電力（SWaP）特性を有することができる。捕捉／追跡開口部は、潜在的な通信リンクの品質に関する情報を入力部に提供して、計算アルゴリズムをルーティングすることができる。しかしながら、後述するように、単一の通信開口部を使用して、主光リンクを通じたデータの通信だけでなく潜在的なバックアップ光リンクの識別の両方をサポートすることができる。
【００１８】
図２Ａ及び図２Ｂに示されるように、ノード１０６同士の間に複数のタイプの光リンク１１２が存在する。図２Ａでは、光リンクは、トラフィックリンク１１２ａ及び追跡リンク１１２ｂを含む。トラフィックリンク１１２ａを確立する前に、追跡リンク１１２ｂは、２つのノードの間の正確な指向性を維持するために存在する。リンク１１２ａ，１１２ｂ及びノード１０６の集合は、大規模通信システムのサブネットワークであるＦＳＯネットワークを形成する。このＦＳＯネットワークでは、光フェーズドアレイ（OPA）操作を、高速の、アジャイルビームの再指向のために使用することができる。トラフィックリンク１１２ａは、光接続を通じて高レートでデータを転送し、且つノード同士の間でデータを交換するための光経路を表す。追跡リンク１１２ｂは、既存の通信リンクが劣化又は切れた場合に、通信リンクに潜在的に転換することができる経路を表す。いくつかの実施形態では、ＦＳＯネットワーク内の各ノードは、少なくとも１つの光端末を含む。特定の実施形態では、各光端末は、所定の時間内のいかなる場合でも１つのトラフィックリンク１１２ａ及び複数の追跡リンク１１２ｂをサポートすることができる。後述するように、リンク１１２ｂを使用して現在追跡されていないノードにバックアップ通信リンクを確立することも可能である。
【００１９】
図２Ｂに示されるように、様々なＲＦリンク１１２ｃが、ＦＳＯネットワークの一部である同じノード１０６の間にも存在する。リンク１１２ｃは、ノード同士の間のＲＦ、マイクロ波、又は他の無線通信を表す。リンク１１２ｃ及びノード１０６は、同じ大規模通信システムのＲＦサブネットワークを形成する。特定の実施形態では、ＲＦフェーズドアレイは、互いの通信範囲内に全てのノードについてメッシュネットワークを形成するために、開口部あたり複数のビームを形成し、又はアジャイル操作について、複数のノード間でビームをホッピングするために使用することができる。ＲＦサブネットワークは、既存のトラフィックリンク１１２ａの状況等の光リンク状態情報、追跡リンク１１２ｂによって監視されるような潜在的なバックアップリンクの予想される性能、及びリンク１１２ｂを介して光学的に追跡されていない、ＲＦ範囲内のノードについての位置及び状態情報を搬送する制御プレーンとして使用することができる。ＲＦサブネットワークは、光接続することなく、互いの接触を維持するようにノードによって使用することもできる。いくつかの実施形態では、ＲＦサブネットワークは、ＦＳＯネットワークをサポートするために特に実装することができる。他の実施形態では、ＲＦサブネットワークは、既存のＲＦネットワーク、又はその主な目的がＲＦ通信トラフィックを搬送するような他のネットワークであってもよい。
【００２０】
図３には、本開示に係るＦＳＯネットワークにおける保護スイッチングの例が示されている。図２Ａ及び図２Ｂに示されるネットワークにおいて、各ノードは、少なくとも１つの主経路（トラフィックリンク１１２ａ）と、監視されている少なくとも１つの潜在的なバックアップ経路（追跡リンク１１２ｂ）とを含む。障害がトラフィックリンク１１２ａで検出された場合に、ノードの通信開口部は、電子操作を使用して、追跡リンク１１２ｂによって監視されている経路を通じて新たなトラフィックリンク１１２を確立するように再構成することができる。追跡リンク１１２ｂによって接続されたノードは、それらの相対位置（指示方向）及びリアルタイムでそれらノード同士の間の経路の状態を維持することができるので、互いに向けたそれら通信開口部の再指向及びそれらノード同士の間のアクティブなトラフィックリンクの確立を、非常に迅速に生じさせることができる。
【００２１】
この例は、図３に示されており、ここでは、２つの障害３０２−３０４が、種々のノードの間の２つのアクティブなトラフィックリンク１１２ａと干渉する又はこれらトラフィックリンク１１２ａを遮断する。その結果、影響を受けたノードは、それら追跡リンク１１２ｂによって監視されている１つ又は複数の代替経路を使用して新しいトラフィックリンクを確立する。この例では、２つのトラフィックリンク１１２ａの遮断によって生じた停止期間は、単一の新しいトラフィックリンク１１２ａを確立して、リングネットワークであったネットワークを線形ネットワークに効果的に変換することによって修復することができる。しかしながら、これは、必ずしもこのケースに必要ではなく、複数の遮断は、複数のバックアップリンクを確立するために、大抵の場合ビームのより複雑なリダイレクトを必要とする。一般に、任意の適切な数のバックアップ用トラフィックリンク１１２ａ’は、ＦＳＯネットワーク内のノード同士の間の通信を維持するために、追跡リンク１１２ｂによって監視されている経路に沿って確立することができる。
【００２２】
いくつかの実施形態では、専用の捕捉／追跡開口部が、継続的に追跡するためにノードで使用され、他のノードの空間的な捕捉／又は位置を特定する目的のために、ビーコン又は他の信号を他のノードに提供し、続いてそれらノード同士の間の追跡リンク１１２ｂを維持することができる。これは、トラフィックリンク１１２ａが、それらのノード同士の間で確立されていない場合でも、発生する可能性がある。光追跡装置は、追跡するためにビーコン又は他の信号（通信波長である）を必要とするので、追跡リンク１１２ｂの両端におけるノードは、互いに認識しており、両方のノードが、互いにそれらのビーコンを指向させ、同時に正確な相対位置を維持できることを意味している。
【００２３】
他の実施形態では、追跡機能は、通信開口部を使用し、専用の捕捉／追跡開口部は、必要とされない。これらの実施形態では、追跡データは、トラフィックリンク１１２ａが維持されているノードと、潜在的なバックアップ光リンク１１２ｂについて追跡されているそれらノードと間の通信開口部の送受信方向を瞬間的にホッピングすることによって更新することができる。これは、トラフィックリンク１１２ａ上での情報の高スループットを維持するために、非常に高速なビーム再指向を行うことを含んでもよい。ビーコン源及びビーコン受信機が、適切な時間に互いに狙いを定める(aimed)ような一時的な調整を含んでもよい。
【００２４】
上述したように、ＲＦサブネットワークを使用して、ノード同士間の制御プレーンの情報を送信することができる。制御プレーン情報は、実装態様に応じて様々な情報を含むことができる。例えば、制御プレーン情報は、ノード同士の間の空間的及び時間的に調整する過渡的な往復ビームを指向させるための情報を含むことができ、情報は、ノードが互いにそれら光システムを再指向し且つビーコン信号又は他の信号を交換することが可能な情報を意味する。この情報を使用して、ネットワークを介してアクティブな光経路のバックアップルートを事前にプランニングする(preplan)ことができる。潜在的なリンクの光学的状態が連続的に変化するので、保護経路の計算は、連続して行うことになり得る。ＲＦサブネットワークは、光トラフィックリンク１１２ａが利用できない場合に、優先度の高い制限された量のトラフィックを転送するために使用することもできる。ＲＦサブネットワークは、監視されているリンク１１２ａ−１１２ｂに関する性能情報を転送する、及び追跡リンク１１２ｂを用いることなく、ノードに関する状態情報を提供するために使用され、それによって、必要に応じて追跡リンク１１２ｂを迅速に確立することができる。特定の実施形態では、ノードは、複数のビームを形成／受信し又は複数のノード間で単一ビームをホッピングするために、ＲＦフェーズドアレイアンテナを含む。これは、ＲＦ端末ハードウェアの効率的な使用、及び多数の同時ＲＦリンクの使用を提供する。他の実施形態では、機械的に操作されるＲＦ指向性アンテナを使用することができる。さらに他の実施形態では、無指向性ＲＦアンテナを使用することができる。
【００２５】
特定の実施形態では、ノードは、以下のように作動され、トラフィックリンク１１２ａでのドロップアウトを処理する：
（１）ノードは、リンク１１２ａ−１１２ｂ上のそれら既存の光接続を介して及びそれらＲＦリンク１１２ｃを介して、トラフィックリンク１１２ａでの使用容量及び空き容量に関する情報を交換する。遮断されたリンクについてトラフィックを再ルーティングするための第１のセットのプランを、既存のトラフィックリンク１１２ａの空き容量のみを用いた場合について計算することができる。これは、末端間の経路が、遮断されたトラフィックについて見つけられるため、ネットワーク動作である。これをサポートするために、ノードは、情報を交換し、（ＩＰルーティングプロトコルの動作と同様に）任意の停止期間の前に、バックアップ経路に集中(converge)させることができる。
（２）適切なバックアップ経路が、既存のトラフィックリンク１１２ａの空き容量を使用して、１つ又は複数の主リンク１１２ａの潜在的な障害について見つけることができない場合は、バックアップトラフィック経路についての第２のセットのプランを、トラフィックリンク１１２ａを使用せずに、ノードを接続する既存の追跡リンク１１２ｂからの情報に基づいて接続ノードを計算する。この制御プレーン情報は、光接続に直接的に提供される又はＲＦサブネットワークによって提供することができる。
（３）適切なバックアップ経路が、既存の追跡リンク１１２ｂを用いる経路に亘って見つけることができない場合に、第３のセットのプランは、ＲＦリンクを１１２ｃのみを使用して接続されたノードを組み込むように計算する。この第３のセットのプランは、上記ステップ（２）で説明した第２のセットのプランに対応するネットワーク規模のバックアッププランが確立されるまで、それらの追跡リンク１１２ｂを他のノードにリダイレクトするために、１つ又は複数のノードを必要とする。追跡リンク１１２ｂによって接続されていないノードの位置や状態は、ＲＦサブネットワークにより提供され、ＲＦサブネットワークは、その場合に所定時間内に、光接続を有しない又は制限された光接続を有するノードを含む。
（４）短い（例えば、０．１秒未満）ドロップアウトについて、保護スイッチングを無視することができる。リンクレベルの補償(mitigation)によって、このタイプのドロップアウトのいくつか又は全てを補償することができる。エンドユーザは、損失データを無視するか、又は損失データを再送信することができる。
（５）中間持続期間（例えば、０．１秒から１秒）のドロップアウトについて、トラフィックは、上述したステップ（１）でプランニングしたように既存のトラフィックリンク１１２ａ上の空き容量を使用して再ルーティングすることができる。空き容量が不足しているが、バックアップ経路が存在する場合に、優先度の低いトラフィックを廃棄することができ、優先度の高いトラフィックが、利用可能な空き容量を利用することができる。バックアップ経路がいくつかのリンクに存在していない場合に、プロセスは、ステップ（６）に移動する。
（６）設定持続時間（例えば、１秒）を超える長いドロップアウトについて、又は既存のバックアップ経路が存在しない状態の中間持続期間のドロップアウトについて、トラフィックリンクは、上述したステップ（２）又はステップ（３）で決定されるように、新しい経路上にリダイレクトすることができる。ステップ（３）のプランは、極端な状況で必要とされるかもしれないが、バックアップ経路の連続的な再計算によって、ステップ（３）による第３のセットのプランではなくステップ（２）による第２のセットのプランの使用が可能にする。理想的には、既存の追跡リンク１１２ｂ上のバックアップトラフィック経路及びトラフィックリンク１１２ａのスイッチングの使用は、最小のデータ損失で迅速に発生させることができる。
【００２６】
図２Ａ及び図２Ｂには、ＦＳＯネットワークにおける通信経路の例が示されているが、種々の変更を図２Ａ及び図２Ｂの実施形態に対して行ってもよい。例えば、ＦＳＯネットワークは、適切な構成の任意の数のノード及び任意のタイプ（複数可）のノードを含むことができる。また、ノード同士間のリンク１１２ａ−１１２ｃは、変化することができ、環境条件、物理的な障害、トラフィック状態、及びノード位置等の様々な要因に応じて常に変化してもよい。図３には、ＦＳＯネットワークの保護スイッチングの一例が示されているが、様々な変更を図３の実施形態に対して行ってもよい。再び、ＦＳＯネットワークは、適切な構成の任意の数のノード及び任意のタイプ（複数可）のノードを含むことができる。また、リンクの停止期間は、示されるよりもトラフィックリンクの異なる再構成を必要とするような、任意の場所（複数可）で及びネットワークの任意の組合せで発生することがある。また、トラフィックリンク１１２ａか追跡リンク１１２ｂかに拘わらず光経路の遮断は、トラフィックリンク１１２ａの変化に加えて、１つ又は複数の追跡リンク１１２ｂの再構成をトリガすることができる。
【００２７】
図４には、本開示に係るＦＳＯ及びＲＦ／マイクロ波機能の両方を備えたネットワークノードの例が示されている。特に、図４には、ＦＳＯネットワークのネットワークノードに位置するハイブリッド「光プラスＲＦ」光端末４００の例が示されている。ここで、端末４００は、図１のＦＳＯネットワーク１００内のノード１０２−１１０のいずれかで使用することができる。端末４００は、他の適切なノードで又は他の適切なシステムで使用することもできる。
【００２８】
図４に示されるように、端末４００は、ネットワークノード制御装置４０２、ＲＦシステム又は端末４０４、１つ又は複数の光システムや端末４０６、及びネットワークプロセッサ４０８を含む。制御装置４０２は、ノードに位置する端末４０４−４０６の動作を含むノードの全体的な動作を制御する。例えば、制御装置４０２は、ＲＦ端末４０４及び光端末４０６を制御して、端末４００によるデータの送信又は受信を制御することができる。制御装置４０２は、端末の起動及びシャットダウン、端末及びリンク状況の監視及び報告、端末の設定、及びネットワークプロセッサ４０８によって指示された場合に、ネットワークプロセッサ４０８で計算され且つ格納された主ルーティングプラン及びバックアップのルーティングプランを実行する等の機能に応答する。制御装置４０２は、少なくとも１つのマイクロプロセッサ、マイクロコントローラ、デジタル信号プロセッサ、フィールドプログラマブルゲートアレイ、又は特定用途向け集積回路を含む処理システム等の通信端末を制御するための任意の適切な構造を含む。
【００２９】
ネットワークプロセッサ４０８は、ネットワークのトポロジーと、ノード及びリンクの状態とを維持するように動作する。ネットワークプロセッサ４０８は、バックアップルートの分散型計算に関与し、その結果を格納する。バックアップルートの計算は、ノード間での連携及び情報交換を使用して、複数のノード４００間で実行される分散型プロセスを表すことができる。ネットワークプロセッサ４０８は、（ローカル又はリモートで生じ得る）停止期間の場合に実施される保証手順をさらに決定する。また、ネットワークプロセッサ４０８は、そのノードに位置するＲＦ端末４０４と１つ又は複数の光端末４０６との間でトラフィックを分配する。プロセッサ４０８は、少なくとも１つのマイクロプロセッサ、マイクロコントローラ、デジタル信号プロセッサ、フィールドプログラマブルゲートアレイ、又は特定用途向け集積回路を含む処理システム等の、ネットワーク組織をサポートするための任意の適切な構造を含む。
【００３０】
ＲＦ端末４０４は、リンク１１２ｃを通じたＲＦ通信を使用して他のノードとの通信を提供する。ＲＦ端末４０４は、ＦＳＯネットワークの動作をサポートするように特に設計してもよく、又はそのＲＦ端末は、ＦＳＯネットワークにサポートを付随的に提供するために使用されるＲＦ通信ネットワークの一部であってもよい。この実施例では、ＲＦ端末４０４は、ＲＦ電子部品４１０、ＲＦアンテナ４１２、及び検出(discovery)アンテナ４１４を含む。ＲＦ電子部品４１０は、無線送信用の信号を生成する又は無線で受信した信号を処理するための様々な機能を実行する。特定の例として、ＲＦ電子機器４１０は、フィルタ、増幅器、ミキサ、モデム、又はＲＦ信号を生成及び受信するために使用される他の部品を含むことができる。マルチパスフェージングに対抗するための又はフェーズドアレイアンテナの使用をサポートするための信号合成等の他の機能もサポートすることができる。ＲＦ電子部品４１０は、他の複数のノードとのデータ交換をサポートするような、モバイルアドホックネットワーク（MANET）及び共通データリンク（CDL）機能を含むことができる。ＲＦ電子部品４１０は、ＲＦ又は他の無線電磁信号を使用して他のノードとの通信を容易にする任意の適切な構造を含む。
【００３１】
ＲＦアンテナ４１２及び検出アンテナ４１４は、他のノードとの間のＲＦ信号の送受信をサポートする。いくつかの実施形態では、ＲＦアンテナ４１２は、他のノードとの通信及び制御プレーン情報等のデータを交換するために使用され、検出アンテナ４１４は、ＲＦ通信を確立する目的のために、アンテナ４１４のＲＦ通信範囲内に入ってくる新しいノードを見つけて識別するために使用される。ＲＦアンテナ４１２は、フェーズドアレイアンテナ等の他のノードとの間でデータを通信するための任意の適切な構造を含む。検出アンテナ４１４は、無指向性放射構造等の新しいノードから信号を受信するための任意の適切な構造を含む。フェーズドアレイアンテナ等のアンテナの使用は、複数のＲＦビームを様々な方向に同時に送信するためのビーム形成等の他の機能をサポートすることができることに注意されたい。
【００３２】
光端末４０６は、リンク１１２ａ−１１２ｂを通じた光通信を使用して、他のノードとの通信を提供する。この実施例では、光システム４０６は、光トランシーバ４１６、光学ベンチ４１８、及び電子ビーム操作アセンブリ４２０を含む。光トランシーバ４１６は、一般的に、データを送信用の光信号に変換し、且つ受信した光信号をさらに処理するためのデータに変換するように動作する。光トランシーバ４１６は、光モデム等の、光信号との間でデータを変換するための任意の適切な構造を含む。一体型光トランシーバが、ここに示されているが、光トランシーバ４１６は、光送信機及び別個の光受信機を使用して実装することができることに注意されたい。
【００３３】
光学ベンチ４１８は、光トランシーバ４１６との間で送信された光ビームを処理するための様々な機能を実行する。例えば、光学ベンチ４１８は、光をコリメートし、電子ビーム操作アセンブリ４２０に向けて光を導くための構成要素を含むことができる。光学ベンチ４１８は、捕捉／追跡リンク１１２ｂに関連する追跡機能を実行するための構成要素も含むことができる。光学ベンチ４１８は、光トランシーバとの間で送信された光ビームを変更するための任意の適切な構造を含む。光学ベンチ４１８の例示的な実施形態は、以下で説明する図５Ａ及び図５Ｂに示されている。
【００３４】
電子ビーム操作アセンブリ４２０は、出射される送信ビーム及び入射される受信ビームを操作するように構成される。電子ビーム操作アセンブリ４２０は、従って、送信ビーム方向及び受信ビーム方向を変化させることができる。送信ビーム方向は、出射ビームが端末４００から離れる方向に送信される方向を表す。受信ビーム方向は、入射ビームが端末４００で受信された方向を表す。電子ビーム操作アセンブリ４２０は、１つ又は複数の光フェーズドアレイ及び１つ又は複数の回折格子等の入射及び出射光ビームを導く及びリダイレクトするための任意の適切な構造を含む。電子ビーム操作アセンブリについての可能な設計は、米国特許第７，２１５，４７２号、米国特許第７，４２８，１００号、及び（参照により本明細書に組み込まれる）米国特許出願公開第２０１２／００８１６２１号に示されている。ラピッドビーム及びアジャイルビームの再指向を提供する任意の他のビーム操作装置を用いることができる。
【００３５】
図５Ａ及び図５Ｂには、本開示に係るＦＳＯ光学ベンチ４１８の例が示されている。図５Ａ及び図５Ｂに示されるように、光学ベンチ４１８は、光トランシーバ４１６の１つ又は複数の光送信器５０２及び１つ又は複数の光受信器５０４に光学的に結合される。複数の光送信機及び光受信機は、波長分割多重（WDM）が所定のトラフィックリンクで使用される場合に、用いることができる。各光送信器５０２は、一般的に、通信用の出射光信号を生成するように動作し、各光受信器５０４は、一般的に、入射した光信号を更なる処理のために他の形態（電気信号等）に変換するように動作する。追加の部品は、光送信器５０２と光学ベンチ４１８との間のエルビウムドープトファイバ増幅器（EDFA）、又は光受信機５０４と光学ベンチ４１８との間の光学自動化利得制御（OAGC）増幅器や低ノイズ光増幅器等の光トランシーバ４１６において使用することができる。
【００３６】
図５Ａは、通信開口部を介して生じる光通信をトラフィックリンク１１２ａを通じて提供するように適合された光学ベンチ４１８の例であるが、光追跡リンク１１２ｂは、上述したように別個の捕捉／追跡開口部を介して操作される。この実施形態では、電子ビーム操作アセンブリ４２０Ａは、光トラフィックリンク１１２ａのためだけに使用され、電子ビーム操作アセンブリ４２０Ｂは、追跡リンク１１２ｂのためだけに使用される。電子ビーム操作アセンブリ４２０Ａ−４２０Ｂは、例えば、特定の用途のコスト及び性能要件に応じて同じ又は異なる設計から形成してもよい。
【００３７】
図５Ａでは、光学ベンチ４１８は、１つ又は複数の送信ファイバコリメータ５０６を含む。コリメータ５０６は、光ファイバ中を伝搬する光送信器５０２からの光を自由空間におけるコリメートされた光ビームに変換する。いくつかの実施形態では、１つ又は複数の差動操作要素５０８によって、適切な方向（複数可）にコリメートされた出射ビームを光ダイプレクサ／マルチプレクサ５１０に導く。差動操作要素５０８の目的は、送信及び受信のための指向角のオフセットを補償することである。他の実施形態では、同様の機能は、差動操作要素５０８を受信経路に配置することによって行うことができる。差動操作要素５０８は、微細操作ミラー又はＯＰＡｓ等の任意のタイプの高精度の操作部品を含んでもよい。ダイプレクサ／マルチプレクサ５１０は、送信及び受信ビームを分離し、ＷＤＭが使用される場合に、（受信用に）様々な波長チャネルに分離し、及び（送信用に）様々な波長チャネルを組み合わせる。ダイプレクサ／マルチプレクサ５１０は、出射ビーム（複数可）を電子ビーム操作アセンブリ４２０Ａに導く。
【００３８】
１つ又は複数の入射ビームは、光ダイプレクサ／マルチプレクサ５１０において電子操作アセンブリ４２０Ａから受信される。ダイプレクサ／マルチプレクサ５１０によって、入射ビーム（複数可）を１つ又は複数の受信ファイバコリメータ５１２に導く。コリメータ５１２は、入射ビーム（複数可）の光を光ファイバに焦点を合わせを行い、このビーム（複数可）を光受信機５０４に案内する。
【００３９】
各コリメータ５０６，５１２は、光をコリメートするための任意の適切な構造を含む。差動操作要素５０８は、光を所望の方向に導くための任意の適切な構造（複数可）を含む。ダイプレクサ／マルチプレクサ５１０は、例えば、偏光、波長、及び伝搬方向等の特性に基づいて、異なる光ビームに対して異なる光経路を提供するための任意の適切な構造を含む。この実施例では、送信ビームは、操作要素５０８から操作アセンブリ４２０Ａに導かれるが、受信ビームは、操作アセンブリ４２０Ａからコリメータ５１２に導かれる。特定の実施形態では、ダイプレクサ／マルチプレクサ５１０は、ＷＤＭマルチプレクサ／デマルチプレクサを含む。
【００４０】
図５Ａに示される実施例では、光学ベンチ４１８は、追跡／捕捉センサ５１４、追跡ビーコン源５１６、及びビーコン／センサダイプレクサ５１８を含む。電子ビーム操作アセンブリ４２０Ｂを使用して、ビーコンを他のノードに導くことができる。捕捉／追跡センサ５１４は、そのノードから受信したビームに基づいて、別のネットワークノードとのリンク１１２ｂを光学的に見つけて確立するために使用される。これは、典型的には、正確な閉ループ／追跡によっておおよその決定方向から移行（遷移）するような空間捕捉と呼ばれる相互プロセスによって進められる。一旦追跡が確立されると、その追跡は、追跡リンク１１２ｂとして維持される。随意に、操作アセンブリ４２０Ａを使用して、トラフィックリンク１１２ａを同じノードに追加することができる。同一のセンサ５１４によって又は別個のセンサ５１４によって、空間捕捉及び追跡機能を行うことができる。このようなセンサ５１４の例は、象限検出器、焦点面アレイ、若しくは他の光学位置及び角度センサを含む。
【００４１】
追跡ビーコン源５１６は、ビーコンを生成して、離れたノードに向けられた光ビームを提供し、この離れたノードがローカルノードを捕捉し且つ追跡するのを可能にする。ビーコン源５１６は、レーザ等の任意の適切なビーコン源を含んでもよく、そのビーコン源は、変調信号を生成して、低データレート情報をリンク１１２ｂを通じて離れたノードに提供することができる。このような情報の例は、ローカルノードの状況及び追加のトラフィックを搬送するためのその能力を含むことができる。ビーコン／センサダイプレクサ５１８を使用して、光ダイプレクサ／マルチプレクサ５１０と同様に、入射ビーコンから出射ビーコンを分離する／入射ビーコンと出射ビーコンとを結合することができる。他の実施形態では、ビーコン／センサダイプレクサ５１８は必要とされず、捕捉／追跡センサ５１４及び／追跡ビーコン５１６は、それぞれ、独自の電子ビーム操作アセンブリ４２０Ｂを有している。
【００４２】
図５Ｂに示される実施形態では、光トラフィックリンク１１２ａ及び追跡リンク１１２ｂの両方は、同じ電子ビーム操作アセンブリ４２０を共有する。上述したように、これらの実施形態では、複数のノードとの追跡リンク１１２ｂを維持することは、電子ビーム操作アセンブリ４２０を使用して、トラフィックリンク１１２ａに関連するノードと追跡リンク１１２ｂ（複数可）が維持されるノードとの間の通信開口部の送信／受信方向を迅速に変更することを含む。これは、通信と追跡機能との間の操作アセンブリ４２０のタイムシェアリングを伴うが、そのシェアリングによって、使用されるアセンブリの数が減る。電子ビーム操作アセンブリ４２０は、依然としてリンク（複数可）１１２ａについて十分なトラフィック搬送能力を維持したまま、リンク１１２ｂについて正確な追跡情報を維持するのに十分速く、離れたノード同士の間でホッピングすることができる。
【００４３】
図５Ｂの実施形態では、トラフィックリンク１１２ａについてのアセンブリ及び機能は、図５Ａとほぼ同じである。１つの相違は、捕捉／追跡センサ５１４及び追跡ビーコン５１６を操作アセンブリ４２０によって制御される単一の開口部に結合するのに役立つようなビームスプリッタ／コンバイナ５２０の導入である。ビームスプリッタ／コンバイナ５２０は、（トラフィックリンク１１２ａ又は追跡リンク１１２ｂからの）入射ビームのごく一部を分離し、図５Ａと同様に行われるように、その分離したビームを捕捉／追跡センサ５１４に導く。ビームスプリッタ／コンバイナ５２０は、追跡ビーコン源５１６の出力も取り込み、その出力を離れたノードに送信するためにビーム経路に挿入する。追跡ビーコン源５１６は、図５Ａの実施形態と同様に実行され、データを提供するために変調される。
【００４４】
他の実施形態（図５Ａ又は図５Ｂのいずれか）では、ビーコン源５１６は、トラフィックリンク１１２ａに関連するノードから除外してもよい。これは、送信トラフィックビームによって、この目的を果たすことができるからである。
【００４５】
さらに他の実施形態は、図５Ｂのビームスプリッタ／コンバイナ５２０が、図５Ａの実施形態に追加されるような図５Ａ及び図５Ｂの組合せを含む。この構成では、電子ビーム操作アセンブリ４２０Ｂは、ノードを捕捉し、トラフィックリンク１１２ａを介して通信されていないノードとの追跡リンク１１２ｂをサポートするためにのみ使用される。端末４００は、通信しているノードを追跡するために（ビームスプリッタ／コンバイナを介して）トラフィックリンク１１２ａの受信ビームを使用し、その送信トラフィックビームは、ビーコンとして機能する。この実施形態では、追跡ビーコン源５１６とビームスプリッタ／コンバイナ５２０との間の接続は、必要とされず、１つの捕捉／追跡開口部を解放して追加の追跡リンク１１２ｂをサポートする。
【００４６】
図６は、端末４００に関連する開口部(aperture)の配置６００例が示されている。図６に示されるように、この配置６００は、通信開口部６０２及び複数の捕捉／追跡開口部６０４を含む。開口部６０２は、トラフィックリンク１１２ａ用のデータを含むビームが送受信されるような開口部を表す。開口部６０４は、捕捉／追跡リンク１１２ｂ用のビーコン又は他の信号を含むビームが送受信されるような開口部を表す。
【００４７】
ここに示されているように、通信開口部６０２は、捕捉／追跡開口部６０４よりも大きい。これは、高データレートのトラフィックリンク１１２ａがより大きな開口部及びより高い送信電力の組合せを必要とするので典型的な状況であるが、追跡リンク１１２ｂは、これら追跡リンクが狭帯域電子部品を用いているので、より小さな開口部及びビーコン送信電力を有することができる。開口部６０２−６０４の最適なサイズは、特定の用途に応じて変えることができる。開口部６０４についての典型的なサイズは、１センチメートル（ｃｍ）〜５ｃｍの範囲であるが、各開口部６０２についての典型的なサイズは、２ｃｍ〜３０ｃｍの範囲とすることができる。（参照として組み込まれる）米国特許出願公開第２０１２／００８１６２１号は、図６の開口部を緊密に充填するのを可能にするような、電子ビーム操作アセンブリの非常にコンパクトな設計を提供する。
【００４８】
図４〜図６には、ＦＳＯネットワークにおけるノードの詳細な例が示されているが、様々な変更を図４〜図６の実施形態に対して行ってもよい。例えば、図４〜図６に示される機能部分は説明のためだけのものである。各図面中の種々の構成要素は、再配置し、組み合わせ、さらに細分化し、又は省略することができ、特定の必要性に応じて追加の構成要素を追加することができる。具体的な例として、電子ビーム操作アセンブリ４２０は、ビーム拡大機能を組み込むことができ又は光学ベンチ４１８の一部とすることができる。
【００４９】
図４〜図７には、ＦＳＯネットワークにおけるノードの詳細な例が示されているが、様々な変更を図４〜図７の実施形態に対して行ってもよい。例えば、図４〜図７に示される機能部分は説明のためだけのものである。各図中の種々の構成要素は、再配置し、組み合わせ、さらに細分化し、又は省略することができ、特定の必要性に応じて追加の構成要素を追加することができる。具体的な例として、ビーム操作アセンブリ４２２は、ビーム拡大鏡４２０の一部及び／又は光学ベンチ４１８の一部に組み込まれ、これらを形成することができる。
【００５０】
図７には、本開示に係るＦＳＯネットワークにおける保護スイッチングに使用されるバックアップ経路を計算するための方法７００の例が示されている。ネットワーク接続をより効率的に維持するのに役立ち且つ損失データを低下させる又は最小限にするために、方法７００は、ネットワークトポロジー、トラフィックパターン、及びリンク状態の変化に対応するために継続的に反復することができる。方法７００の少なくとも１つの反復は、保護スイッチングを実行する前に、完了することができる。
【００５１】
第１のセットのバックアップ経路が、ステップ７０２で識別される。これは、例えば、空き容量を識別するために確立されたトラフィックリンク１１２ａの状態を使用する、ノード内のネットワークプロセッサ４０８を含むことができる。既存のトラフィックリンク１１２ａを通じた空き容量の使用は、障害を受けたトラフィックリンクの近くにトラフィックを再ルーティングするための最速のメカニズムを示し得る。このステップがステップ７０４で適切な迂回経路を成功裏に識別したと想定すると、このプロセスは、別の反復のためにループされる。ここでの成功は、識別されたバックアップ経路が、トラフィック容量及び主リンクと同じリスクを共有していないバックアップリンクに関してシステムを完全に保護するのに十分であるかどうかを判断する等の任意の適切な方法で評価することができる。
【００５２】
そうでない場合は、第２のセットのバックアップ経路が、ステップ７０６で識別される。これは、例えば、トラフィックリンク１１２ａではなく追跡リンク１１２ｂを用いるノード同士の間の接続を使用する、ノード内のネットワークプロセッサ４０８を含むことができる。トラフィックリンク１１２ａを追跡リンク１１２の上にリダイレクトすることは、サービスを回復するための第２の最速のメカニズムを示し得る。これは、ステップ７０８で適切な迂回経路を成功裏に識別したと想定すると、このプロセスは、別の反復のためにループされる。
【００５３】
そうでない場合は、第３セットのバックアップ経路が、ステップ７１０で識別される。これは、例えば、バックアップ経路を識別するために、ＲＦリンク１１２ｃを使用するノード内のネットワークプロセッサ４０８を含むことができる。それ自体によるこのバックアッププランは、迅速な保護スイッチングをもたらさない可能性があるので、バックアップ経路が追跡リンク１１２ｂによって維持されるように、トラフィックリンク１１２ａに関連していない追跡リンクをリダイレクトするようなステップ７１２に続く。このプロセスは、次に、別の反復のためループされる。
【００５４】
図７には、ＦＳＯネットワークにおける保護スイッチングに使用されるバックアップ経路を計算するための方法７００の一例が示されるが、様々な変更を図７の実施形態に対して行ってもよい。例えば、一連のステップとして示されているが、図７の様々なステップを、重複させる、並行して行う、異なる順序で行う、又は１つのプロセスサイクル内で複数回行うことができる。また、様々なステップは、特定のニーズや用途に応じて省略又は追加することができる。特定の例として、任意の適切な技術又はアルゴリズムを使用して、バックアップ経路及び最適なネットワークトポロジーのために、どの隣接ノードをトラフィックリンク１１２ａ及び追跡リンク１１２ｂを介してリンク付するかを選択することができる。
【００５５】
図８には、本開示に係るＦＳＯネットワークにおける保護スイッチングのための方法８００の例が示されている。ただし、保護スイッチングのための他の機構を、ＦＳＯシステムで使用することもできることに注意されたい。方法８００は、リンクの遮断又はノードに障害が発生した場合に、端末間のネットワーク接続を回復するために、トラフィックリンク１１２ａ及び追跡リンク１１２ｂの再配置を含むようなトラフィックの再ルーティングをサポートする。効率性を増大する又は最大化するために、特に速度に関して、方法８００を実行する前に、方法７００の少なくとも１つの反復を、完了する又は少なくとも部分的に完了してもよい。方法８００は、図２Ａ及び図２Ｂのネットワークの例を用いて容易に可視化することができるが、気象に関連するリンク遮断やノードの故障等の何らかの障害によってトラフィックの中断を受ける全てのネットワークに一般的に適用される。
【００５６】
方法８００は、ステップ８０２で定常状態のネットワークのトポロジーで開始する。ここでは、光トラフィックリンク１１２ａ、光追跡リンク１１２ｂ、及びＲＦリンク１１２ｃが確立され、ネットワークのノード同士の間で動作する。方法８００の進行は、次に、トラフィックの中断の持続時間によって判定される。
【００５７】
比較的頻繁に発生し得る短いドロップアウト（例えば、０．１秒未満）は、ステップ８０４において、リンクベースの補償手法（前方誤り訂正、インターリーブ、補償光学、光自動利得制御等）の使用によって処理される。ステップ８０４は、（可能ではあるが）ネットワークベースの補償を必要としない場合がある。
【００５８】
停止時間が第１の閾値（例えば、０．１秒）を超えた場合に、方法８００は、既存の光トラフィックリンクの空き容量を使用して、遮断リンク又は無効ノード等の障害の近くにトラフィックを再ルーティングするようなステップ８０６に進む。利用可能な容量が遮断されたトラフィックの全てを搬送するのに十分でない場合は、優先順位の低いトラフィックは、廃棄されるか、又は後で送信するためにキューイングすることができる。
【００５９】
停止時間が第２の閾値（例えば、１秒）を超えた場合に、システムは、バックアップトラフィック経路を確立するために、光トラフィックリンクをもともと確立されていた追跡リンクの上にリダイレクトするようなステップ８０８に進む。電子ビーム操作を使用して、新しいトラフィックリンク１１２ａを迅速に（例えば、５０ミリ秒未満）確立することができる。ステップ８０８は、方法７００のステップ７０６が成功裏に完了したことを前提としており、ステップ８０８が、方法８００の間に計算された第２のセットのバックアップ経路を使用することを意味する。そうでない場合は、方法８００は、第２又は第３のセットのバックアップ経路の形成を待機するステップ８１０に進むが、光トラフィックリンクをもともと確立されていた追跡リンクの上にリダイレクトするためにバックアップ経路を使用することが指摘される。
【００６０】
方法８００の完了後、ネットワークは、再び定常状態になる。障害によって、方法８００が終了し又はノードの位置が十分に変化することをトリガしなかった場合に、ネットワークは、方法７００の経路計算及び方法８００の手順に基づいて、そのネットワーク自体をより有利なトポロジーに積極的に再構成することができる。図８は、閾値の例（０．１秒及び１秒）を提供するが、最適値は、例えばネットワークを実現する詳細に基づいて設定することができる。
【００６１】
図８には、ＦＳＯネットワークにおける保護スイッチングのための方法８００の一例が示されるが、種々の変更を図８の実施形態に対して行ってもよい。例えば、一連のステップとして示されているが、図８の様々なステップを、重複させる、並行して行う、別の順序で行う、又は複数回行うことができる。また、様々なステップは、特定のニーズや用途に応じて省略又は追加することができる。特定の例として、図８は、システムが、最初に光リンク補償を使用し、次に既存のトラフィックリンク上に再ルーティングすることにより、及び次に新たなトラフィックリンクを形成することにより、障害を克服しようと試みるアプローチを説明する。このアプローチは、最初に既存のトラフィックリンク上で再ルーティングを試みることなく又は追跡リンクが確立されるのを待たずに光リンク補償が失敗した後に、新しいトラフィックリンクが確立される場合に、必要とされない。
【００６２】
いくつかの実施形態では、上述した様々な機能は、コンピュータ可読プログラムコードから形成された及びコンピュータ可読媒体によって具現化されるコンピュータプログラムによって実装され又はサポートされる。用語「コンピュータ可読プログラムコード」は、ソースコード、オブジェクトコード、及び実行可能なコードを含む任意の種類のコンピュータコードを含む。用語「コンピュータ可読媒体」は、コンピュータによってアクセス可能な、読取り専用メモリ（ROM）、ランダムアクセスメモリ（RAM）、ハードディスクドライブ、コンパクトディスク（CD）、デジタルビデオディスク（DVD）、又は他のタイプのメモリ等の任意のタイプの媒体を含む。「非一時的な」コンピュータ可読媒体は、一時的な電気的又は他の信号を転送する有線、無線、光、又は他の通信リンクを除外する。非一時的なコンピュータ可読媒体は、データを永久に保存することができる媒体、及び上書き可能な光ディスク又は消去可能なメモリ装置等のデータが保存され且つ後で上書きすることができる媒体を含む。
【００６３】
なお、本特許文書全体を通して使用される特定の単語や語句の定義を記載することが有利となり得る。用語「含む、有する(include)」及び「備える、有する、含む(comprise)」だけでなくそれらの派生語は、限定することなく含むことを意味する。用語「又は」は、包括的な意味で用いられ、「及び／又は」を意味する。語句「〜に関連する」だけでなくその派生語は、「〜内に含まれる」、「〜と相互接続される」、「〜を含む」、「〜内に含まれる」、「〜に又は〜と接続される」、「〜に又は〜と結合する」、「〜と通信可能になる」、「〜と協同する」、「〜をインターリーブする」、「〜を並置する」、「〜に近接する」、「〜に又は〜と接合される」、「〜を有する」、「〜という性質を有する」、「〜との関係を有する」等を含む。アイテムのリストと共に使用される場合に、語句「〜の少なくとも１つ」は、列挙されたアイテムの１つ又は複数の異なる組合せを用いてもよく、そのリスト内の1つのアイテムのみが必要とされてもよいことを意味する。例えば、「Ａ、Ｂ、及びＣのうちの少なくとも１つ」は、「Ａ」、「Ｂ」、「Ｃ」、「Ａ及びＢ」、「Ａ及びＣ」、「Ｂ及びＣ」、及び「Ａ、Ｂ及びＣ」の組合せのうちのいずれかを含む。
【００６４】
本開示は、特定の実施形態及び一般的に関連する方法について説明したが、これらの実施形態及び方法の変更及び置換は当業者には明らかであろう。従って、例示的な実施形態についての上述した説明は、本開示を規定又は制約するものではない。以下の特許請求の範囲によって規定されるように、他の変更、置換、及び変更は、本開示の精神及び範囲から逸脱することなく可能である。
【図１】
0006318229.tif 000002
【図２Ａ】
0006318229.tif 000003
【図２Ｂ】
0006318229.tif 000004
【図３】
0006318229.tif 000005
【図４】
0006318229.tif 000006
【図５Ａ】
0006318229.tif 000007
【図５Ｂ】
0006318229.tif 000008
【図６】
0006318229.tif 000009
【図７】
0006318229.tif 000010
【図８】
0006318229.tif 000011